(57)【要約】      （修正有）【課題】本発明は、光源からの光を広範囲に拡散する発光装置及び拡散部分を持ちながらも形状全体が複雑化しない照明装置を提供する。【解決手段】複数の発光素子５２を列状に配列した光源部５０と、光源部を収容する筐体部３０と、光源部からの光の配光を調整する配光調整部２０（レンズカバー）と、を有する。配光調整部は、発光素子が列設する長手方向に直交する縦断面視において、発光素子の中心Ｇの延長線上に、光が進行する方向に向かって突出した２つの曲面２３（２６）を設け、その曲面の両端が合わさり発光素子の中心に最も近接する先端となる内先端部２４と、内先端部から更に発光素子の中心の延長線上に、空気層を伴い発光素子からの光を拡散させる空間を設けた散乱空間部２２と、を備える。【選択図】図５
2018147563.tif 000002
【特許請求の範囲】
【請求項１】
複数の発光素子を列状に配列した光源部と、
前記光源部を収容する収容部と、
前記光源部からの光の配光を調整する配光調整部と、
前記配光調整部は、
前記発光素子が列設する長手方向に直交する縦断面視において、前記発光素子の中心の延長線上に、光が進行する方向に向かって突出した２つの曲面を設け、その曲面の両端が合わさり前記発光素子の中心に最も近接する先端となる内先端部と、
前記内先端部から更に前記発光素子の中心の延長線上に、空気層を伴い前記発光素子からの光を拡散させる空間を設けた拡散空間部と、を備えたことを特徴とする発光装置。
【請求項２】
前記配光調整部は、前記発光素子が列設する長手方向に直交する縦断面視において、二等辺三角形状を形成し、前記二等辺三角形状の等しい２辺の頂点となる前記外先端と前記内先端部とを結んだ延長線上に、前記発光素子の中心が位置するよう前記光源部を前記収容部に配置したことを特徴とする請求項１に記載の発光装置。
【請求項３】
前記配光調整部は、略９０度の角度で直交した角を形成した前記外先端部を備えたことを特徴とする請求項２に記載の発光装置。
【請求項４】
前記配光調整部は、乳白色の樹脂により形成したことを特徴とする請求項１に記載の発光装置。
【請求項５】
前記配光調整部は、
前記拡散空間部を形成する壁面が交差する先端が前記発光素子の中心の延長線上から最も離れている外先端部を備えたことを特徴とする請求項１に記載の発光装置。
【請求項６】
前記収容部及び前記配光調整部は、前記発光素子が列設する長手方向に直交する縦断面視において、三角形状を形成した前記収容部の収容筐体部及び前記配光調整部の配光筐体部を備え、
前記収容筐体部及び前記配光筐体部を組み合わせ、記発光素子が列設する長手方向に直交する縦断面視において、前記発光装置全体を四角形状に形成したことを特徴とする請求項１に記載の前記発光装置を使用した照明装置。
【請求項７】
前記収容筐体部は、前記三角形状の内部に、前記発光装置を設置する設置金具と前記収容筐体部とを固定する固定空間部を備えたことを特徴とする請求項６に記載の前記発光装置を使用した照明装置。
【請求項８】
前記設置金具は断面形状がコ字状に形成し、
コ字状の開いた先端に、挿入方向から徐々に傾斜して開いていく突出片を備え、
前記突出片と前記収容筐体部とを嵌め合わせ、前記設置金具と前記収容筐体部を固定する固定部を備えたことを特徴とする請求項７に記載の前記発光装置を使用した照明装置。
【請求項９】
前記光源部に電源を供給する配線と接続される接続プラグを備えた前記発光装置の側面を覆う側面カバーと、
前記側面カバーは、前記接続プラグと電気的に接続可能なソケットを設け、前記ソケットを挿入し収納可能な穴を形成した挿入穴を設け、
互いの前記挿入穴に前記ソケットを挿入し、前記発光装置の前記側面カバーが互いに密着し前記発光装置同士を連結する連結手段を備えたことを特徴とする請求項１に記載の前記発光装置を使用した照明装置。
【請求項１０】
前記光源部に電源を供給する配線と接続される接続プラグを備え、前記収容筐体部に固定される前記発光装置の側面を覆う側面カバーを設け、
前記側面カバーは、前記配光筐体部に当接するリブを備えたことを特徴とする請求項１に記載の前記発光装置を使用した照明装置。
【発明の詳細な説明】
【技術分野】
【０００１】
本発明は、光源として複数の発光素子を発光させる発光装置及びその発光装置を利用した照明装置に関する。
【背景技術】
【０００２】
従来から消費電力が少なく高輝度の光源としてＬＥＤを使用した発光装置や照明装置が提案されてきている。高輝度ＬＥＤを使用した発光装置は、検査装置の照明用としての用途や建築の天井面や壁面等に使用される照明装置として使用されてきている。
例えば、特許文献１には、照明装置としての用途に使用される発光装置が提案されており、その発光装置は、複数のＬＥＤと、ＬＥＤがアレイ状に実装される基板と、ＬＥＤから放射された光の配光を調整する配光調整部材と、を備え、配光調整部材は、２つ以上のＬＥＤに共通して設けられ、ＬＥＤを格納する収容部と、ＬＥＤの光導出面上で且つＬＥＤの直上部に設けられた凹条曲面部と、凹条曲面部の両側に設けられ、凹条曲面部と面が滑らかに連続する一対の凸条曲面部と、を有する。ＬＥＤから収容部に入射した光の多くは、凹条曲面部で全反射されて、側方方向へ進み、凹条曲面部を屈折して透過することにより、配光調整部材から広い配光で出射される。そして、これら装置は、指向性が低く、光ムラを生じ難くすることができる装置として提案されている。
【０００３】
また、特許文献２は、検査装置用の照明装置が提案され、その照明装置は、所定の方向に沿って配置された複数の光源と、光源から発せられる光を集光する第１レンズと、第１レンズから発せられる光を前記所定の方向に拡散させる拡散レンズと、拡散レンズから発せられる光を集光する第２レンズと、を備え、複数の光源から第２レンズに向かう方向において、第１レンズの曲率中心を基準にして、第１レンズの曲率半径の２倍以上の距離だけ離隔した位置に第２レンズが配置される。
【先行技術文献】
【特許文献】
【０００４】
【特許文献１】特開２０１２−２３４９０６号公報
【特許文献２】特開２０１６−２０１３６０号公報
【発明の開示】
【発明が解決しようとする課題】
【０００５】
しかしながら、従来の発光装置では、レンズ部分の厚みが厚く、拡散した光が透過するも拡散する度合いが少なく、指向性のある強い光を拡散しきれないという問題もあった。
又、照明装置としては、均一な発光を追求するためにレンズ形状等が複雑となり、そのレンズを収める筐体の構造が、複雑化又は大型化となり、更には設置作業も困難であるという問題もあった。
【０００６】
本発明は、光源からの光を広範囲に拡散さる発光装置を提供すると共に、拡散部分を持ちながらも形状全体が複雑化しない照明装置を提供することにある。
【課題を解決するための手段】
【０００７】
複数の発光素子を列状に配列した光源部と、前記光源部を収容する収容部と、前記光源部からの光の配光を調整する配光調整部と、前記配光調整部は、前記発光素子が列設する長手方向に直交する縦断面視において、前記発光素子の中心の延長線上に、光が進行する方向に向かって突出した２つの曲面を設け、その曲面の両端が合わさり前記発光素子の中心に最も近接する先端となる内先端部と、前記内先端部から更に前記発光素子の中心の延長線上に、空気層を伴い前記発光素子からの光を拡散させる空間を設けた拡散空間部と、を備えたことを特徴とする。
【発明の効果】
【０００８】
以上の特徴により、発光素子から発した光が拡散し、発光装置は広角による照射が可能である。また、高輝度の発光素子により見られる粒状が見え難くなり、均一に光る発光装置が実現できる。
【図面の簡単な説明】
【０００９】
【図１】実施形態の照明装置の全体を正面、左側面、平面から見た斜視図である。
【図２】実施形態の発光装置を分解し各々の部品を現した分解斜視図である。
【図３】実施形態の発光装置を表した正面、左側面、平面から見た斜視図である。
【図４】実施形態の発光装置を表した背面、左側面、平面から見た斜視図である。
【図５】実施形態の発光装置を表した側面図である。
【図６】実施形態の発光装置の一部及びサイドカバーを拡大して表した拡大図である。
【図７】実施形態の照明装置のサイドカバーの内部側を表した斜視図である。
【図８】実施形態の照明装置同士を連結する様子を表した概要図である。
【図９】実施形態の照明装置同士を連結した様子を表した概要図である。
【図１０】実施形態の発光装置に設置用金具を装着した様子を表した側面から見た概要図である。
【図１１】実施形態の発光装置に設置用金具を装着し床面に設置した様子を表す概要図である。
【図１２】実施形態の発光装置に設置用金具を装着し壁面に設置した様子を表す概要図である。
【図１３】実施形態の照明装置を天井に設置し、光の照射の様子を表す概要図である。
【図１４】実施形態の発光装置の発光素子からの光の照射を示す側面から見た説明図である。
【図１５】他の実施形態の発光装置を表した側面図である。
【図１６】他の実施形態の発光装置を表した側面図である。
【図１７】実施例１の変形例の発光装置のレンズカバーを表した側面図である。
【発明を実施するための形態】
【００１０】
本発明にかかる表示装置について、図面を参照しつつ詳細に説明する。なお、以下に説明する実施形態及び図面は、本発明の実施形態の一部を例示するものであり、これらの構成に限定する目的に使用されるものではなく、本発明の要旨を逸脱しない範囲において適宜変更することができる。
【００１１】
（実施例１）
図１乃至図７を参照して、照明装置１及び発光装置１０の構造を説明する。図１は、実施形態の照明装置１の全体を正面、左側面、平面から見た斜視図である。図２は、実施形態の発光装置１０を分解し各々の部品を現した分解斜視図である。図３は、実施形態の発光装置１０を表した正面、左側面、平面から見た斜視図である。図４は、実施形態の発光装置１０を表した背面、左側面、平面から見た斜視図である。図５は、実施形態の発光装置１０を表した側面図である。図６は、実施形態の発光装置１０の一部及びサイドカバー４０を拡大して表した拡大図である。図７は、実施形態の照明装置１のサイドカバー４０の内部側を表した斜視図である。
【００１２】
図１乃至図７に示すように照明装置１は、主に発光装置１０、サイドカバー４０及び設置用金具６０（図１０）から構成されている。また、発光装置１０は、レンズカバー２０と、筐体部３０及び光源部５０とから構成されている。
先ず、発光装置１０について説明する。発光装置１０は、図３に示す様に、例えば一例を示すが、発光装置１０の側面を形成する横（Ｘ）及び縦（Ｙ）の寸法は、各々２５ｍｍと断面形状が略正方形状を形成している。また、例えば一例を示すが、発光装置１０の長手方向の寸法（Ｚ）は、４８０ｍｍであり、発光装置１０全体においてもコンパクトな形状となっている。
【００１３】
図１乃至図７に示すように筐体部３０は、両辺の角が４５度の断面形状が２等辺三角形状に形成したアルミ材を押出し成形した筐体３１を形成する。筐体３１は、断面形状が２等辺三角形状の長辺の中央に長尺に沿って光源部５０を両面テープ等により貼り付けが可能な光源載置部３６（図２、図４、図５）を設けており、その光源載置部３６の両側には光源部５０を受けることが可能な突起３７（図２、図４、図５）を設けている。
【００１４】
また、筐体部３０は、上下端に長手方向に沿って側壁３４により形成した溝部３５が設けられており、その溝部３５にレンズカバー２０が側方からスライド挿入することが可能な構造となっている。筐体部３０は、背面側に向かい合って形成した断面コ字状に上下に突出した挿入部３３を設け、そのコ字状により形成された溝状の挿入空間部３２が長手方向に沿って延設されている（図４、図５）。また、筐体部３０は、光源載置部３６の背面に、後述する設置用金具６０を収納できる空間として装着空間３８（図４、図５）を長手方向に沿って設けている。更に、筐体部３０は、サイドカバー４０（図６）を固定するビス４９（図６）を挿入する略円形状のビス固定溝３９（図４、図５）を長手方向に沿って形成している。
これら装着空間３８やビス固定溝３９を形成することにより放熱面積を多く確保することが可能であり、光源部５０の熱を放熱させる機能をも備えている。
【００１５】
次に、図１乃至図７を参照し、レンズカバー２０を説明する。レンズカバー２０は、断面を略３角形状で角を形成したレンズ筐体２１を設けている。レンズ筐体２１は、筐体部３０と長手方向を同じ長さに形成し、乳白色のポリカーボネード等の樹脂材を押出し成形する方法にて製造される。樹脂材は、乳白色のポリカーボネードに限らず光拡散材を混入させた樹脂材であっても良い。
【００１６】
レンズ筐体２１の内部は、断面を弧状に湾曲したレンズ形状であって、内面側に弧内面２３、また外側に弧外面２６を形成している。弧内面２３が２つ結合した内先端２４の延長線上（一点鎖線）に、光源部５０の発光素子５２のほぼ中心Ｇが位置している。弧内面２３及び弧外面２６は略９０度の角を形成する内側の垂直内壁面２７と結合している。また、更に光源部５０の発光素子５２のほぼ中心Ｇの延長線上には外先端２９（一点鎖線）が位置しており、発光素子５２から最も離れた位置にある。
尚、弧内面２３が合流した内先端２４は円弧状であっても良く。また、弧外面２６が合流する部分も円弧状であっても良いが、内先端２４は鋭角にすればする程ほど拡散効果が向上する。
【００１７】
レンズ筐体２１は、内部に弧外面２６及び垂直内壁面２７により囲われた空間を形成した散乱空間部２２を備えている。散乱空間部２２は、発光素子５２から発光した光を散乱させる空間となり、長手方向に沿って長く伸びた空間を形成している。
また、レンズ筐体２１は、外側の垂直外壁面２８により略９０度の角である外先端２９を形成している。レンズ筐体２１は、先端に筐体部３０の溝部３５と嵌合し、突出した嵌合突出片２５を長手方向に沿って設けている。レンズカバー２０は、筐体部３０の側方から溝部３５と嵌合突出片２５とを嵌合させて、筐体部３０にスライドして挿入することが可能である。
【００１８】
尚、図１７の破線で示したレンズカバー２０ｄの変形例を示す。図１７に示す範囲Ｒの以外の部分は上述した構造と同じであるため説明を省略する。外先端２９ｄを角ではなく円弧状に形成したレンズカバー２０ｄである。レンズカバー２０ｄの外側の垂直外壁面２８ｄ及び内側の垂直内壁面２７ｄは、範囲Ｒの部分において、垂直外壁面２８ｄ及び垂直内壁面２７ｄの各々により円弧状が形成され、外先端２９ｄは角ではなく円弧形状を形成している。
【００１９】
次に、光源部５０は、筐体部３０と同様に長手方向に伸びた形状にＬＥＤ基板５１を形成し、ＬＥＤ基板５１の中央に複数の発光素子５２を長手方向に沿って列状に設けている。発光素子５２は、主に、消費電力が低く高輝度のＬＥＤを採用しているが、有機ＥＬ等も採用が可能である。
【００２０】
次に、サイドカバー４０を説明する。サイドカバー４０は、筐体部３０及びレンズカバー２０の側面を覆う形状に形成された略直方体の形状に形成したサイドカバー筐体４１を備えている。サイドカバー筐体４１は、照明装置１の側面を覆おう蓋の役割とＬＥＤ基板５１に接続される図示しない電源を供給する配線を接続する接続プラグ４８を収納する役割を持っている。
【００２１】
サイドカバー筐体４１は、表面にビス４９を挿入するビス挿入穴４３が設けられている。また、その裏面にはビス４９のスクリュウ部分が貫通するビス孔４６が設けられている。そして、サイドカバー筐体４１は、ビス４９を筐体部３０のビス固定溝３９に螺合し、筐体部３０に固定される。
サイドカバー筐体４１は、裏面に図示しない配線が通過可能な接続プラグ４８を収納する略円筒状の端子収納部４７が設けられている。サイドカバー筐体４１は、表面に接続ソケット７０（図８）が挿入できる大きさの穴となる接続端子穴４２が設けられている。サイドカバー筐体４１は、接続ソケット７０（図８）を接続端子穴４２に挿入し、接続ソケット７０（図８）と接続プラグ４８とが電気的に接続できる構造となっている。尚、接続プラグ４８を使用せずに接続端子穴４２を貫通させて配線を引回し照明装置１同士を接続しても良い。
【００２２】
サイドカバー筐体４１は、レンズカバー２０の弧内面２３の形状に沿って形成した裏面の両端に、突出したリブ４４を設けている。リブ４４は、レンズカバー２０と筐体３０とのがたつきを防止するために、レンズカバー２０の弧内面２３に当接し、レンズカバー２０を筐体３０の側壁３４に向かって押し付けている。
【００２３】
次に、図８及び図９を参照して照明装置１同士の接続方法について説明する。図８及び図９は、実施形態の照明装置１同士を連結する様子を表した概要図である。図８の１点鎖線にある様にサイドカバー筐体４１に設けられた接続端子穴４２に接続ソケット７０を挿入することで接続プラグ４８は、接続部ソケット７０の内部にある円筒状の金属製のソケット部７１と導通し、電源を供給することが可能である。照明装置１は、接続ソケット７０を介して接続することにより、図９に示す様にサイドカバー４０を隙間なく連結することが可能である。デザイン性に優れ又連結部分が少ないため、連続した線上の照明として使用が可能である。
【００２４】
次に、図１０乃至図１３を参照して照明装置１の設置方法の一例について説明する。図１０は、実施形態の発光装置１０に設置用金具６０を装着した様子を表した側面から見た概要図である。図１１は、実施形態の発光装置１０に設置用金具６０を装着し床面に設置した様子を表す概要図である。図１２は、実施形態の発光装置１０に設置用金具６０ｂを装着し壁面に設置した様子を表す概要図である。図１３は、実施形態の照明装置１を天井に設置し、光の照射の様子を表す概要図である。
【００２５】
図１０に示す様に設置用金具６０は、ステンレスや鉄等の金属性の材料により断面形状がコ字状に形成している。断面コ字状の設置用金具筐体６１は、長手方向に伸びており、複数箇所に設置用ビスＢ等で固定できる様に貫通した孔が設けられている。また、設置用金具筐体６１は、先端に外側に突出した三角形状の三角片６２を設けている。この三角片６２は、金属の弾性により筐体部３０の挿入部３３を乗り越えて、挿入部３３に嵌合し固定される。設置用金具筐体６１の胴体は、挿入部３３により上下方向から保持されている。
【００２６】
図１１は、床面Ｆと壁面Ｗとで形成されるコーナー部分に設置した様子を示している。先ず、照明装置１を設置する際には、床面Ｆと壁面Ｗとで形成されるコーナー部分より僅かに上の部分に、設置用ビスＢで設置用金具６０を固定する。設置用金具６０を壁面Ｗに固定した後、照明装置１を筐体部３０の挿入部３３間の空間に、設置用金具６０が入り込むように押しつけ、設置用金具６０の三角片６２と挿入部３３が嵌合する位置まで押し込み、設置用金具６０と筐体部３０が嵌合することで固定される。三角片６２は、挿入方向から徐々に大きくなる三角形状となっており、金属の弾性によって撓みながら挿入され挿入部３３と嵌合する。尚、壁面Ｗに設置用金具６０を取り付けて照明装置１を設置したが、床面Ｆに設置用金具６０を取り付けて照明装置１を設置しても良い。
このように装着空間３８内で、設置用金具６０と筐体部３０の固定が可能であるため、照明装置１は、図１１に示すように設置金具６０は、床面Ｆと壁面Ｗとで形成されるコーナー部分に隙間なく、また嵌め込むだけの簡単な作業で設置用金具６０と照明装置１は設置が可能である。
【００２７】
次に、図１２を参照して照明装置１の設置の別例について説明する。図１２は、壁面Ｗにステンレスや鉄等の金属性の材料により形成した設置用金具６０ｂを使用して設置した様子である。断面が略Ｌ字状の設置金具６０ｂは壁面に沿った胴体６４を備え、その先端には、挿入部３３間にスライドして挿入が可能な差し込み片６５が上下方向に伸びて設けられている。
先ず、照明装置１を設置する際には、所望する位置の壁面Ｗに設置用ビスＢで設置用金具６０ｂを複数箇所に亘って固定する。設置用金具６０ｂを壁面Ｗに固定した後、設置用金具６０の差し込み片６５に、照明装置１を筐体部３０の挿入部３３間の空間に合わせてスライドし挿入する。挿入が終わった後は、発光装置１０の側面にサイドカバー４０をビス４９により固定し、スライドカバー４０により筐体部３０の挿入部３３間に蓋をすることで、設置金具６０ｂが照明装置１から外れることを防止する。
【００２８】
次に、図１３を参照して照明装置１の設置の別例について説明する。図１３は、壁面Ｗと天井面Ｃとで形成されるコーナーに設置した様子である。構造は、図１０及び図１１に参照される構造と同じであるため省略する。
照明装置１は、図１１及び図１３に示すように設置金具６０は、床面Ｆと壁面Ｗとで形成されるコーナー部分に隙間なく、また嵌め込むだけの簡単な作業で設置用金具６０と照明装置１は設置が可能である。
【００２９】
次に、本実施例の発光装置１０の光学特性について図１３及び図１４を参照して説明する。図１３は、実施形態の照明装置１を天井に設置し、光の照射の様子を表す概要図である。図１４は、実施形態の発光装置１０の発光素子５２からの光の照射を示す側面から見た説明図である。
発光装置１０は、図１４に示すように発光素子５２から発光した光α１〜α８は、レンズ筐体２１の弧内面２３に入射し、屈折やレンズ筐体２１の内部での拡散をする。また弧外面２６から出射した光α１〜α８は、垂直内壁面２７に入射し、またレンズ筐体２１の内部で拡散をし、垂直外面２８から外部へと出射する。また、弧外面２６及び垂直内壁面２７からの光β１〜β１２は散乱空間部２２内で散乱により拡散し、外部へ出射する光α１〜α８は広角に広がる。
【００３０】
以上のように、発光装置１０から照射される光は、１／２照度角による数値によれば８３．８度と通常の平坦な拡散板を使用した状態よりも広角に照射が可能である。
特に、発光素子５２の最も発光が強いほぼ中心部分Ｇに、レンズ筐体２１の中で内先端２４が最も発光素子５２に近くなっている。そのため、弧内面２３又は弧外面２６の曲面により拡散効果が高くなり、より拡散がした光を出射する。
また、この発光装発光素子５２の最も発光が強い中心部分Ｇの延長線上に、レンズ筐体２１の弧状が合わさる内先端２４が位置することで広角に拡散しやすい構造となっている。      
更に発光素子５２の最も発光が強い中心部分Ｇの延長線上に、垂直内壁面２７同士が直交する外先端２９があり、外先端２９は、レンズ筐体２１の拡散部分の中で最も遠くなっており、これにより発光素子５２の光の粒が見え難くなっている。
また、レンズ筐体２１の空気層を持つ散乱空間部２２を設けることにより、界面が形成され光の散乱が発生しやすく余計に拡散が起こりやすい状態を形成することが可能となった。
図１３に示すように、このような構造を持つ発光装置１０を備えた照明装置１から照射される光Ｓは、略９０度の広がりを持つように照射される。
【００３１】
（他の実施形態の実施例２）
次に、図１５を参照して発光装置１０ｃを装着した照明装置１ｃの別例を説明する。照明装置１ｃは、主に発光装置１０ｃ、サイドカバー（図示しない）及び設置用金具６０ｃから構成されている。また、発光装置１０ｃは、レンズカバー２０ｃと、筐体部３０ｃ及び光源部５０ｃとから構成されている。  
筐体部３０ｃは、略Ｈ字状にアルミ材を押出し成形した筐体３１ｃを形成する。筐体３１ｃは、Ｈ字状の水平方向部分に光源部５０を両面テープ等により貼り付けが可能な光源載置部３６ｃを設けている。
【００３２】
また、筐体部３０ｃは、上端に長手方向に沿って側壁３４ｃにより形成した溝部３５ｃが設けられており、その溝部３５ｃにレンズカバー２０ｃが側方からスライド挿入することが可能な構造となっている。
また、筐体部３０ｃは、中央よりやや下方に、設置用金具６０ｃの屈曲片６７ｃにより挟み込んで発光装置１０ｃを保持するための溝状の設置用溝３２ｃを設けている。
更に、筐体部３０ｃは、図示しないサイドカバーを固定するビスを挿入する略円形状のビス固定溝３９ｃを長手方向に沿って形成している。
設置用溝３２ｃやビス固定溝３９ｃを形成することにより放熱面積を多く確保することが可能であり、光源部５０ｃの熱を放熱させる機能をも備えている。
【００３３】
次に、レンズカバー２０ｃを説明する。レンズカバー２０ｃは、筐体部３０ｃと長手方向を同じ長さに形成し、乳白色のポリカーボネード等の樹脂材を押出し成形する方法にて製造される。樹脂材は、乳白色のポリカーボネードに限らず光拡散材を混入させた樹脂材であっても良い。
レンズカバー２０ｃは、断面を略三角形状に、発光素子５２ｃの最も発光が強い中心部分Ｇの延長線上（一点鎖線）に、弧状のレンズ形状となる弧内面２３ｃの先端が合流した内先端２４ｃが位置している。発光素子５２ｃの最も発光が強い中心部分Ｇに、レンズ筐体２１ｃの中で内先端２４ｃが最も発光素子５２ｃに近くなっている。
【００３４】
レンズ筐体２１ｃは、内部に弧外面２６ｃ及び垂直内壁面２７ｃにより囲われた空間を形成した散乱空間部２２ｃを備えている。散乱空間部２２ｃは、発光素子５２ｃから発光した光を散乱させる空間となり、長手方向に沿って長く伸びた空間を形成している。
尚、弧内面２３ｃが合流した内先端２４ｃは円弧状であっても良く。また、弧外面２６ｃが合流する部分も円弧状であっても良いが、内先端２４ｃは鋭角にすればする程ほど拡散効果が向上する。
【００３５】
中心部分Ｇの延長線上（一点鎖線）には、空気層を持つ散乱空間部２２ｃを設けることにより、界面が形成され光の散乱が発生しやすく余計に拡散が起こりやすい状態を形成することが可能となっている。
また、その中心部分Ｇの延長線上（一点鎖線）に、レンズ筐体２１ｃは、散乱空間部２２ｃから散乱した光を出射する外壁面２８ｃを備えている。
以上のように、発光装置１０ｃから照射される光は、１／２照度角による数値によれば７１．６度と通常の平坦な拡散板を使用した状態よりも広角に照射が可能である。
この発光装置１０ｃを備えた照明装置１ｃは、広角な照射範囲を持つ照明装置を備えることができる。
【００３６】
次に設置用金具６０ｃを説明する。設置用金具６０ｃは、断面の形状をコ字状にステンレスや鉄等の金属で形成した胴体６６ｃを備えており、胴体６６ｃの先端には、金属の弾性により筐体部３０ｃを挟み込んで把持することが可能な凸状に突出した屈曲片６７ｃが設けられている。照明器具１ｃを所望する壁面Ｗ等に設置する際には、一定の間隔を設けた複数個の設置用金具６０ｃを壁面Ｗ等に取り付けた後、筐体部３０ｃの設置用金具６０ｃの設置用溝３２ｃに合わせて発光装置１０ｃを押し込むことにより、簡単に、設置用金具６０ｃに装着することが可能である。
【００３７】
（他の実施形態の実施例３）
次に、発光装置１０の別例を説明する。図１６に示す発光装置１０ｂは、防水にも使用できるものであり、上述した発光装置１０と同様に長手方向に４８０ｍｍ程度の長さで長尺状に形成されている。発光装置１０ｂは、周囲全体をポリカーボネート等の樹脂製の乳白色であって、内部が空洞の四角柱状に形成したレンズカバー２０ｂで覆われている。
また、発光装置１０ｂは、内部に光源部５０ｂを備えている。光源部５０ｂは、放熱構造を考慮して断面をＨ字状のアルミ材を押出成形で製造したでアルミ基板５３ｂが設けられている。アルミ基板５３ｂは、上述した発光装置１０と同様に長手方向に４８０ｍｍ程度の長さで形成されている。アルミ基板５３ｂの上に、ＬＥＤ基板５１ｂが、そのアルミ基板５３ｂに沿って設けられている。また、ＬＥＤ基板５１ｂは上述と同様の発光素子５２ｂが複数個列状に設けられている。
【００３８】
発光素子５２の最も発光が強い中心部分Ｇの延長線上（一点鎖線）に、弧状のレンズ形状となる弧内面２３ｂの先端が合流した内先端２４ｂが位置している。発光素子５２ｂの最も発光が強い中心部分Ｇに、レンズ筐体２１ｂの中で内先端２４ｂが最も発光素子５２ｂに近くなっている。
レンズ筐体２１ｂは、内部に弧外面２６ｂ及び垂直内壁面２７ｂにより囲われた空間を形成した散乱空間部２２ｂを備えている。散乱空間部２２ｂは、発光素子５２ｂから発光した光を散乱させる空間となり、長手方向に沿って長く伸びた空間を形成している。
尚、弧内面２３ｂが合流した内先端２４ｂは円弧状であっても良く。また、弧外面２６ｂが合流する部分も円弧状であっても良いが、内先端２４ｂは鋭角にすればする程ほど拡散効果が向上する。
【００３９】
また、その中心部分Ｇの延長線上（一点鎖線）には、空気層を持つ散乱空間部２２ｂを設けることにより、界面が形成され光の散乱が発生しやすく余計に拡散が起こりやすい状態を形成することが可能となっている。
また、その中心部分Ｇの延長線上（一点鎖線）に、レンズ筐体２１ｂは、散乱空間部２２ｂから散乱した光を出射する外壁面２８ｂを備えている。
以上のように、発光装置１０ｂから照射される光は、１／２照度角による数値によれば７１．６度と通常の平坦な拡散板を使用した状態よりも広角に照射が可能である。
この発光装置１０ｂを備えた照明装置１は、広角な照射範囲を持つ照明装置を備えることができる。
【００４０】
（技術的特徴）
以下に本実施形態の技術的特徴点の一例を括弧に内に示すが、特に限定するものでもなく例示しているものであり、これら特徴から考えられる効果についても記載する。
【００４１】
＜第１の特徴点＞
複数の発光素子（発光素子５２、５２ｂ、５２ｃ）を列状に配列した光源部（例えば、主に光源部５０、５０ｂ、５０ｃ）と、前記光源部を収容する収容部（例えば、主に筐体部３０、レンズカバー２０ｂ、筐体部３０ｃ）と、前記光源部からの光の配光を調整する配光調整部（例えば、主にレンズカバー２０、２０ｂ、２０ｃ）と、前記配光調整部は、前記発光素子が列設する長手方向に直交する縦断面視において、前記発光素子の中心（例えば、主にほぼ中心Ｇ）の延長線上に、光が進行する方向に向かって突出した２つの曲面（例えば、主に弧内面２３、２３ｂ、２３ｃ及び弧外面２６、２６ｂ、２６ｃで形成する曲面）を設け、その曲面の両端が合わさり前記発光素子の中心に最も近接する先端となる内先端部（例えば、主に内先端２４、２４ｂ、２４ｃ）と、前記内先端部から更に前記発光素子の中心の延長線上に、空気層を伴い前記発光素子からの光を拡散させる空間を設けた拡散空間部（散乱空間部２２、２２ｂ、２２ｃ）と、を備えたことを特徴とする。
【００４２】
以上の特徴により、発光素子から発した光が拡散し、発光装置は広角による照射が可能である。また、高輝度の発光素子により見られる粒状が見え難くなり、均一に光る発光装置が実現できる。
【００４３】
＜第２の特徴点＞
前記配光調整部は、前記発光素子が列設する長手方向に直交する縦断面視において、二等辺三角形状を形成し、前記二等辺三角形状の等しい２辺の頂点となる前記外先端と前記内先端部とを結んだ延長線上に、前記発光素子の中心（例えば、主にほぼ中心Ｇ）が位置するよう前記光源部を前記収容部に配置したことを特徴とする。
以上の特徴により、いずれも辺が交差した箇所に発光素子の延長線上となるために高輝度の発光素子により見られる粒状が見え難くなり、均一に光る発光装置が実現できる。また、発光素子からの光は、交差した箇所により拡散しやすくなるため、発光装置は広角による照射が可能である。
【００４４】
＜第３の特徴点＞
前記配光調整部は、略９０度の角度で直交した角を形成した前記外先端部を備えたことを特徴とする。
以上の特徴により、外先端が角を形成することにより、高輝度の発光素子により見られる粒状が見え難くなり、均一に光る発光装置が実現できる。また、直交した箇所により拡散しやすくなるため、発光装置は広角による照射が可能である。
【００４５】
＜第４の特徴点＞
前記配光調整部は、乳白色の樹脂により形成したことを特徴とする。
以上の特徴によって、乳白色の樹脂により拡散効果が増し、発光素子からの光はより拡散しやすくなるため、発光装置は広角による照射が可能である。
【００４６】
＜第５の特徴点＞
前記配光調整部は、前記拡散空間部を形成する壁面が交差する先端が前記発光素子の中心の延長線上から最も離れている外先端部（例えば、主に外先端２９）を備えたことを特徴とする。
以上の特徴により、発光素子から発した光が拡散し、発光装置は広角による照射が可能である。また、発光が強い箇所が、配光調整部から最も離れることにより高輝度の発光素子により見られる粒状が見え難くなり、均一に光る発光装置が実現できる。
【００４７】
＜第６の特徴点＞
前記収容部及び前記配光調整部は、前記発光素子が列設する長手方向に直交する縦断面視において、三角形状を形成した前記収容部の収容筐体部（例えば、主に筐体３１）及び前記配光調整部の配光筐体部（例えば、主にレンズ筐体２１）を備え、前記収容筐体部及び前記配光筐体部を組み合わせ、記発光素子が列設する長手方向に直交する縦断面視において、前記発光装置（例えば、主に発光装置１０）全体を四角形状に形成したことを特徴とする。
以上の特徴によって、複雑化した形状ではなく設置がし易い形状の照明装置となっている。
【００４８】
＜第７の特徴点＞
前記収容筐体部は、前記三角形状の内部に、前記発光装置を設置する設置金具（例えば、主に設置用金具６０）と前記収容筐体部とを固定する固定空間部（例えば、主に装着空間３８）を備えたことを特徴とする。
以上の特徴により、固定空間部内で、設置金具と筐体部３０の収容筐体部の固定が可能であるため、照明装置は、例えば床面と壁面と又は天井面と壁面とで形成されるコーナー部分に隙間なく設置が可能である。
【００４９】
＜第８の特徴点＞
前記設置金具は断面形状がコ字状に形成し、コ字状の開いた先端に、挿入方向から徐々に傾斜して開いていく突出片（例えば、主に三角片６２）を備え、前記突出片と前記収容筐体部とを嵌め合わせ、前記設置金具と前記収容筐体部を固定する固定部（例えば、主に挿入部３３）を備えたことを特徴とする。
以上の特徴により、照明装置の収容筐体部を設置金具に押し込んで固定するだけの簡単な作業により固定が実現できるため、設置がし易い構造となっている。
【００５０】
＜第９の特徴点＞
前記光源部に電源を供給する配線と接続される接続プラグ（例えば、主に接続プラグ４８）を備えた前記発光装置の側面を覆う側面カバー（例えば、主にサイドカバー４０）と、
前記側面カバーは、前記接続プラグと電気的に接続可能なソケット（例えば、主に接続部ソケット７０）を設け、前記ソケットを挿入し収納可能な穴を形成した挿入穴を設け、
互いの前記挿入穴に前記ソケットを挿入し、前記発光装置の前記側面カバーが互いに密着し前記発光装置同士を連結する連結手段（例えば、主に図９に見られる照明装置１同士の連結）を備えたことを特徴とする。
以上の特徴により、照明装置は、デザイン性に優れ又連結部分が少ないため、連続した線上の照明として使用可能である。
【００５１】
＜第１０の特徴点＞
前記光源部に電源を供給する配線と接続される接続プラグを備え、前記収容筐体部に固定される前記発光装置の側面を覆う側面カバー（例えば、主にサイドカバー４０）を設け、前記側面カバーは、前記配光筐体部に当接するリブ（例えば、主にリブ４４）を備えたことを特徴とする。
以上のように、前記配光筐体部と前記収容筐体部とのがたつきを防止することができ、前記収容筐体部ががたつくことがないため設置がし易くなる。
【産業上の利用可能性】
【００５２】
屋外や屋内の商業施設の照明措置や検査用の照明装置や冷凍庫用や装飾用のショーケースの照明装置や図書館や美術館等の照明装置として利用が可能である。
【符号の説明】
【００５３】
１、１ｃ…照明装置、１０・１０ｂ・１０ｃ…発光装置、
２０・２０ｂ・２０ｃ…レンズカバー、２１・２１ｂ・２１ｃ…レンズカバー筐体、
２２・２２ｂ・２２ｃ…散乱空間部、２３・２３ｂ・２３ｃ…弧内面、
２４・２４ｂ・２４ｃ…内先端、２６・２６ｂ・２６ｃ…弧外面、
２７・２７ｂ．２７ｃ…内壁面、２８・２８ｂ・２８ｃ…外壁面、
２９…外先端、３０…筐体部、３１…筐体、３２・３２ｃ…挿入空間部、３３…挿入部、
３４・３４ｃ…側壁、３５・３５ｃ…溝部、３６…光源載置部、３７…突起、
３８…装着空間、３９・３９ｃ…ビス固定溝、４０…サイドカバー、
４１…サイドカバー筐体、４２…接続端子穴、４３…ビス挿入穴、４４…リブ、
５０・５０ｂ・５０ｃ…光源部、５１・５１ｂ・５１ｃ…ＬＥＤ基板、
５２・５２ｂ・５２ｃ…発光素子、５３ｂ…アルミ基板、
６０・６０ｂ・６０ｃ…設置用金具、６２…三角片、７０…接続ソケット、
７１…ソケット部、Ｃ…天井面、Ｆ…床面、Ｇ…中心、Ｗ…壁面。
【図１】
2018147563.tif 000003
【図２】
2018147563.tif 000004
【図３】
2018147563.tif 000005
【図４】
2018147563.tif 000006
【図５】
2018147563.tif 000007
【図６】
2018147563.tif 000008
【図７】
2018147563.tif 000009
【図８】
2018147563.tif 000010
【図９】
2018147563.tif 000011
【図１０】
2018147563.tif 000012
【図１１】
2018147563.tif 000013
【図１２】
2018147563.tif 000014
【図１３】
2018147563.tif 000015
【図１４】
2018147563.tif 000016
【図１５】
2018147563.tif 000017
【図１６】
2018147563.tif 000018
【図１７】
2018147563.tif 000019